(57)【特許請求の範囲】
【請求項１】
内部時計と、
異なる地域の標準電波送信局から異なる周波数で送信される第１の時刻情報を含む標準電波を受信する標準電波受信手段と、
地域によって異なる周波数で送信される第２の時刻情報を含む放送電波を受信する放送電波受信手段とを有し、
毎正時に受信する上記放送電波を低い周波数から順次複数のブロックにわけ、上記標準電波受信手段で受信した標準電波の周波数から地域を特定し、上記特定した受信地域に該当する上記複数のブロックの中から都市部で受信できる上記放送電波の周波数を含む上記ブロックを順次スキャンし、最先に受信した上記放送電波に基づいて上記内部時計が計時する時刻情報を修正する制御手段と
を有する自動修正時計。
【発明の詳細な説明】
【技術分野】
【０００１】
本発明は、たとえば、毎正時付近に時報情報を含むラジオ放送等の放送電波を受信し、時報情報に基づいて時刻修正を行う自動修正時計に関するものである。
【背景技術】
【０００２】
たとえば佐賀県に設置された標準電波送信局から周波数６０ｋＨｚで送信された標準時刻電波信号や、福島県に設置された標準電波送信局から周波数４０ｋＨｚで送信された標準時刻電波信号を受信し、その標準時刻電波信号に基づいて時刻修正を行う電波修正時計が知られている（たとえば、特許文献１参照）。
【０００３】
しかし、上述した標準電波送信局は、一般的に都心部から離れた場所に位置し、約５０ｋＷと比較的低い送信出力で標準時刻電波信号を送信しているので、たとえば２つの標準電波送信局から離れた都市部に設置された電波修正時計では、標準時刻電波信号の受信強度が弱いために、場所によっては適切に時刻修正を行えない場合がある。
【０００４】
たとえば東京都内で標準時刻電波信号を受信する場合には、２００ｋｍ以上離れた福島県に設けられた送信局からの標準時刻電波信号を受信する。一方、たとえば大阪府内で標準時刻電波信号を受信する場合には、６００ｋｍ以上離れた福島県に設けられた送信局からの標準時刻電波信号、または５００ｋｍ以上離れた佐賀県に設置された送信局からの標準時刻電波信号を受信することになり、受信強度が弱く、場所によっては適切に時刻修正を行えない場合がある。
【０００５】
そこで、一旦標準時刻電波信号を受信した後、あるいは、標準時刻電波を受信できない場合に、毎正時付近に時報情報を含むラジオ放送等の放送電波を受信し、時報情報に基づいて時刻修正を行う自動修正時計が提案されている（たとえば、特許文献２参照）。
【特許文献１】特開２００２−２６７７７５号公報
【特許文献２】特開２００６−３８５７９号公報
【発明の開示】
【発明が解決しようとする課題】
【０００６】
放送電波を受信して時刻修正を行う自動修正時計においては、たとえばラジオ放送の時報情報は、ＮＨＫ第１放送、第２放送の情報を基本的に使用する。
ＡＭラジオ時報電波受信は、全国のＮＨＫ第１放送と第２放送の周波数を全てカバーするために、４９３ｋＨｚ〜１８０７ｋＨｚ間での周波数を８つのブロックにわけ、１時間ごとの毎正時に低い周波数から順次ブロックの周波数帯で時報電波を受信する。
ブロック毎の周波数を以下に示す。
【０００７】
第１ブロック：４９３ｋＨｚ〜５７３ｋＨｚ（札幌５６７ｋＨｚ）、
第２ブロック：５６６ｋＨｚ〜６６２ｋＨｚ（東京５９４ｋＨｚ、福岡６１２ｋＨｚ）、
第３ブロック：６５３ｋＨｚ〜７８５ｋＨｚ（大阪６６６ｋＨｚ、名古屋７２９ｋＨｚ）、
第４ブロック：７７３ｋＨｚ〜９５１ｋＨｚ（仙台８９１ｋＨｚ）、
第５ブロック：９３４ｋＨｚ〜１１８７ｋＨｚ
第６ブロック：１１６４ｋＨｚ〜１４３３ｋＨｚ
第７ブロック：１４１３ｋＨｚ〜１６５４ｋＨｚ
第８ブロック：１６１８ｋＨｚ〜１８０７ｋＨｚ
【０００８】
ＮＨＫ第１放送電波の周波数は、東京で５９４ｋＨｚ、大阪で６６６ｋＨｚであり、ＮＨＫ第２放送電波の周波数は、東京で６９３ｋＨｚ、大阪で８２８ｋＨｚである。
したがって、たとえば、東京でＮＨＫ第１放送を受信するのは、５９４ｋＨｚなので２つ目の第２ブロックとなる。
大阪はＮＨＫ第１放送を受信するのは６６６ｋＨｚなので３つ目の第３ブロックとなる。
【０００９】
そして、自動修正時計においては、誤受信をなくすために、時報電波の受信情報を２回行い、２回の情報が一致すると、受信良好であるとしている。
【００１０】
ところが、時報電波を受信できるまでには、たとえば東京の場合、{（１つ目のブロック×２）＋（東京の周波数帯ブロック（５９４ｋＨｚ）×２）}の処理が必要となり、約４時間で受信が完了する。
大阪の場合、{（１つ目のブロック×２）＋(２つ目のブロック×２)＋（東京の周波数帯ブロック（６６６ｋＨｚ）×２）}の処理が必要となり、約６時間で受信が完了する。
このように、従来、ＡＭラジオ時報電波の受信には、東京で早くて４時間、大阪で早くて６時間と、長時間を要するという不利益があった。
【００１１】
本発明は、かかる事情に鑑みてなされたものであり、その目的は、放送情報電波の受信時間を大幅に短縮することが可能で、高い信頼性で短時間に時刻修正を行うことができる自動修正時計を提供することにある。
【課題を解決するための手段】
【００１２】
上記目的を達成するために、本発明の第１の観点の自動修正時計は、内部時計と、異なる地域の標準電波送信局から異なる周波数で送信される第１の時刻情報を含む標準電波を受信する標準電波受信手段と、地域によって異なる周波数で送信される第２の時刻情報を含む放送電波を受信する放送電波受信手段とを有し、毎正時に受信する上記放送電波を低い周波数から順次複数のブロックにわけ、上記標準電波受信手段で受信した標準電波の周波数から地域を特定し、上記特定した受信地域に該当する上記複数のブロックの中から都市部で受信できる上記放送電波の周波数を含む上記ブロックを順次スキャンし、最先に受信した上記放送電波に基づいて上記内部時計が計時する時刻情報を修正する制御手段と  を有する。
【発明の効果】
【００１５】
本発明によれば、放送情報電波の受信時間を大幅に短縮することが可能で、高い信頼性で短時間に時刻修正を行うことができる。
【発明を実施するための最良の形態】
【００１６】
以下、本発明の実施形態を図面に関連付けて説明する。
【００１７】
詳細には、本実施形態に係る電波修正時計(自動修正時計)は、第１の時刻情報を含む標準電波を受信する標準電波受信部と、第２の時刻情報を含む放送電波を受信する放送電波受信部と、を有し、標準電波と放送電波を受信可能で、一旦標準電波を受信した後、あるいは、標準電波を受信できない場合に、毎正時付近に時報情報を含むラジオ放送等の放送電波を受信し、時報情報に基づいて時刻修正を行う機能を有する。
電波修正時計は、佐賀に設置された標準電波送信局から周波数６０ｋＨｚで送信された標準時刻電波信号や、福島県に設置された標準電波送信局から周波数４０ｋＨｚで送信された標準時刻電波信号を受信する。
電波修正時計は、標準電波受信部で受信した標準電波の周波数から地域を特定し、放送電波受信部において、特定した地域に近い地域の放送局からの放送電波から受信を行い、受信した放送電波または標準電波に基づいて内部時計が計時する時刻情報を修正する機能を有する。
また、電波修正時計は、放送電波受信部にて放送電波を受信するに際し、特定した地域の近い地域の放送局の放送電波から順番にスキャンし、最先に受信した放送電波に基づいて内部時計が計時する時刻情報を修正する。
また、電波修正時計は、標準電波受信部で標準電波を良好に受信できない場合、電波受信手段の放送電波の受信に切り替え、あらかじめ設定した地域の放送局からの放送電波から順番にスキャンし、最先に受信した放送電波に基づいて内部時計が計時する時刻情報を修正する。
【００１８】
本実施形態に係る放送電波は、たとえば上述したようにＡＭラジオ放送電波、ＦＭラジオ放送電波、テレビジョン放送電波、衛星放送電波などの時刻情報を含む放送電波である。たとえばこの放送電波は予め規定された周波数の時報信号を規定時間含む。
本実施形態では放送電波として、たとえばＡＭラジオ放送を採用する。
【００１９】
ＡＭラジオ放送に含まれる時報信号を採用する利点は、何点かある。
１．全国に複数の送信局が設置されている。
２．ＡＭラジオ放送電波の送信出力は、標準電波送信局の送信出力よりも大きい。
【００２０】
たとえばＡＭラジオ放送局は、都市部近郊から比較的大きな送信出力でＡＭラジオ放送を出力する。
たとえば札幌、東京、大阪、福岡等の都市部近郊には、表１に示すようにＡＭラジオ放送局が設置されている。札幌市、東京都、大阪府、福岡市等の都市部から５０ｋｍ以内にラジオ放送局が設けられている。
たとえば埼玉県南埼玉郡菖蒲町から東京ＮＨＫ第１放送、周波数５９４ｋＨｚ、送信出力３００ｋＷでＡＭラジオ放送電波が出力されている。大阪府南河内郡美原町丹上から大阪ＮＨＫ第１放送、周波数６６６ｋＨｚ、送信出力１００ｋＷでＡＭラジオ放送電波が出力されている。
【００２１】
【表１】
0004767067.tif 000002
【００２２】
３．ラジオ放送が行われている周波数帯のノイズに関する規格が規定されている。
多くの家庭電化製品等の電子装置は、この規格を満たすように設計されているために、それらの電子装置から出力されるノイズ強度が小さい。このためにＡＭラジオ放送の受信環境がよい。
【００２３】
また、ＡＭラジオ放送電波は中波放送帯で５２５ｋＨｚから１６０５ｋＨｚと規定されおり、標準電波の周波数は数１０ｋＨｚであり、同一のフェライトバーアンテナを用いてそれぞれの電波を受信することができ、アンテナを共通化することができる。また変調方式もＡＭ変調で同じであるので、ＡＭラジオ放送と、標準時刻電波信号の復調部を、一部共通化することができる。
以下、図面を参照しながら本実施形態に係る電波修正時計を説明する。
【００２４】
図１は本発明の一実施形態に係る自動修正時計を採用した電波修正時計の機能ブロック図である。図２は図１に示した電波修正時計の詳細な機能ブロック図である。
【００２５】
本実施形態に係る電波修正時計１は、図１，２に示すように、電波受信系１１、スイッチ群１２、発振回路１３、制御回路１４、ドライブ回路１５、発光素子１６、バッファ回路１７、ドライブ回路１８、表示部２０、初期時刻情報入力部２１、電源制御回路２２、内部電池２３、外部電池２４、ディスプレイ３０、秒針用モータ１２１、時分針用モータ１３１、光検出センサ部１４０、内部時計１４０１、メモリ１４０２、トランジスタＱ１，Ｑ２、キャパシタＣ１２０１，Ｃ１２０２，Ｃ２，Ｃ３、および抵抗素子Ｒ１〜Ｒ４を有する。
【００２６】
本実施形態ではアナログ式の指針による時刻表示を行う場合に表示部２０として、ドライブ回路１５、発光素子１６、バッファ回路１７、ドライブ回路１８、ディスプレイ３０、秒針用モータ１２１、時分針用モータ１３１、光検出センサ部１４０、キャパシタＣ２，Ｃ３、トランジスタＱ１，Ｑ２、および抵抗素子Ｒ１〜Ｒ４を設ける。
また、表示部２０として液晶等のデジタル式の時刻表示装置（ディスプレイ）３０を用いてもよい。
【００２７】
電波受信系１１は、たとえば制御回路１４の制御により、設定された受信周波数で放送電波を受信する。また、電波受信系１１は、放送局から送信される復調処理を行い信号Ｓ１１０５として制御回路１４に出力する。
また、電波受信系１１は、たとえば制御回路１４の制御により、時刻情報を含む標準電波を受信して所定処理を施して、信号Ｓ１１０６として制御回路１４に出力する。
本実施形態において、制御回路１４は、後述するように、受信した標準電波が４０ｋＨｚであるか６０ｋＨｚであるかを判別する機能を有し、この判別結果に応じて放送電波のキャン順位を変更して放送電波の受信を行う。
【００２８】
電波受信系１１は、たとえば図２に示すように、放送電波受信部１１００、標準電波（長波）受信回路１１０８、およびアンテナＡＮＴ１，ＡＮＴ２を有する。
【００２９】
放送電波受信部１１００は、時刻情報を含む放送電波を受信し、受信結果を示す信号Ｓ１１０５を制御回路１４に出力する。たとえば、時刻情報は毎正時に含まれる時報信号を含む。
【００３０】
放送電波受信部１１００は、たとえば図２に示すように、同調回路１１０１、周波数変換回路１１０２、局部発振回路１１０３、周波数制御回路１１０４、中間周波増幅回路１１０５、検波回路１１０６、および時報検出回路１１０７を有する。
【００３１】
同調回路１１０１は、たとえばキャパシタやコイル等により構成され、周波数制御回路１１０４からの信号Ｓ１１０４により設定される周波数に同調し、アンテナＡＮＴ１で受信された放送電波から、設定された同調周波数の信号Ｓ１１０１を、周波数変換回路１１０２に出力する。
【００３２】
周波数変換回路１１０２は、同調回路１１０１から出力された信号Ｓ１１０１に、局部発振回路１１０３からの信号Ｓ１１０３ａを基に周波数変換処理を施して、中間周波信号Ｓ１１０２として中間周波増幅回路１１０５に出力する。
【００３３】
局部発振回路１１０３は、周波数制御回路１１０４から出力された信号Ｓ１１０４に応じた周波数で発振して、所定の周波数の信号Ｓ１１０３を出力する。
【００３４】
本実施形態では、周波数変換回路１１０２は、信号Ｓ１１０１と信号Ｓ１１０３ａとを混合して、周波数４５５Ｈｚの中間周波信号Ｓ１１０２を生成して出力する。局部発振回路１１０３は、制御回路１４の制御により、上述した中間周波信号Ｓ１１０２を生成するような周波数の信号Ｓ１１０３ａを生成する。
【００３５】
周波数制御回路１１０４は、制御回路１４からの制御信号ＣＴＬ１４１に基づいて所定周波数の信号Ｓ１１０４を生成し、局部発振回路１１０３に出力する。
【００３６】
図３は、図２に示した電波修正時計の電波受信系の一具体例を示す機能ブロック図である。
周波数制御回路１１０４は、たとえば図３に示すように、基準周波数発生回路４０１、第１分周回路４０２、第２分周回路４０３、位相比較器４０４、および制御電圧発生回路４０５を有する。
【００３７】
基準周波数発生回路４０１は、たとえば水晶振動子等を含む発振回路を有し、基準周波数の信号Ｓ４０１を生成して、第１分周回路４０２に出力する。
【００３８】
第１分周回路４０２は、基準周波数発生回路４０１から出力された信号Ｓ４０１を分周し、信号Ｓ４０２として位相比較器４０４に出力する。
【００３９】
第２分周回路４０３は、たとえば制御回路１４から出力された、分周比を設定させる制御信号ＣＴＬ１４１に基づいて、その設定された分周比で、局部発振回路１１０３から出力された信号Ｓ１１０３ｂを分周し、信号Ｓ４０３として位相比較器４０４に出力する。
【００４０】
位相比較器４０４は、第１分周回路４０２から出力された信号Ｓ４０２と、第２分周回路４０３から出力された信号Ｓ４０３とを比較し、比較結果を示す信号Ｓ４０４を出力する。
【００４１】
制御電圧発生回路４０５は、位相比較器４０４から出力された信号Ｓ４０４に基づいて、信号Ｓ１１０４を局部発振回路１１０３に出力する。
局部発振回路１１０３は、周波数制御回路１１０４から出力された信号Ｓ１１０４に応じた周波数で発振して、所定の周波数の信号Ｓ１１０３ａ，Ｓ１１０３ｂを出力する。
【００４２】
たとえば制御電圧発生回路４０５を制御回路１４が直接制御して局部発振回路１１０３の発振周波数を制御する場合では、各デバイスの温度変化や電池の消耗による電圧変動により、正確な周波数を維持することができないおそれがある。
これに対して、上述したようにＰＬＬループが形成された構成を採用すると、では、温度変化や電池の消耗による電圧変動等があった場合でも、局部発振回路１１０３が発振する信号Ｓ１１０３ａの周波数の変動を低減することができる。
【００４３】
つまり、制御回路１４は、上述した構成により、温度変化や電池の消耗による電圧変動があった場合でも、制御信号ＣＴＬ１４１により、信号Ｓ１１０１を中間周波信号Ｓ１１０２に変換する際に、周波数の変動を低減することができる。
【００４４】
このように、局部発振回路１１０３および周波数制御回路１１０４は、たとえばＰＬＬ（Phase Locked Loop）シンセサイザ方式により局部発振信号を生成するように構成することも可能であるが、必ずしもＰＬＬ構成を必要とするものではない。
本実施形態においては、１ｋＨｚ単位の精度の高い掃引はき必ずしも必要ではなく、発振周波数画１ｋＨｚ程度の刻みで掃引すればその間に必ず放送信号が捕捉可能である。したがって、いわゆるバリキャップによる自動選局方式のような構成も採用することが可能である。
【００４５】
ここで、放送信号であるＡＭ放送電波に含まれる時報信号について、図４および図５に関連付けて説明する。
【００４６】
図４は、一般的なＡＭラジオ放送電波に毎正時付近に含まれる時報信号の一具体例を示す図である。
たとえば、ラジオ放送局から送信されるＡＭラジオ放送電波には、毎正時（００分００秒）付近に図４に示すような時報信号ｄが含まれている。詳細にはたとえば５７秒，５８，５９秒に周波数４４０Ｈｚの予告信号（パルス信号）ｐがＡＭ変調され、毎正時（００分００秒）には予め設定された周波数、たとえば８８０Ｈｚの正時信号（減衰信号）ｄがＡＭ変調されている。たとえばパルス信号ｐおよび減衰信号ｄの立ち上がり時間Ｔ５７，Ｔ５８，Ｔ５９，Ｔ００それぞれが、秒同期している。
また、時報信号（正時信号）ｄは、図４に示すように、予め規定された周波数（たとえば８８０Ｈｚ）の時報信号ｄを規定時間Ｔｄ（たとえば１〜３秒程度）含む。
【００４７】
ところで、毎正時（００分００秒）を示す時報信号ｄの送信形式は、放送局毎に規定されている。一般的に時報信号の周波数は８８０Ｈｚであるが、その他放送局によっては、周波数５２２．３Ｈｚや１０４７Ｈｚなどの時報信号も送信する。
また、予告信号（前置信号）に関しても、放送局毎に規定されている。予告信号を送信せずに、図４に示した時報信号ｄのみを送信する放送局もある。
【００４８】
図５は、図１に示した電波修正時計１が受信する時報信号を説明するための図である。図５において横軸は時間、縦軸は信号レベルをそれぞれ示す。
放送電波に含まれる時報信号の規定時間Ｔｄは、放送局毎に規定されている。
時報信号ｄのレベルは、たとえば図５に示すように、正時（Ｔ００）に立ち上がり、時報信号ｄ１の場合には約１秒程度で減衰し、時報信号ｄ２の場合には約２秒程度で減衰し、時報信号ｄ３の場合には約３秒程度で減衰する。つまり図５に示すように時報信号ｄ１〜ｄ３それぞれの規定時間Ｔｄ１〜Ｔｄ３は、放送局によって異なる。
【００４９】
中間周波増幅回路１１０５は、たとえば自動利得制御回路（ＡＧＣ：Automatic Gain Control）により構成され、周波数変換回路１１０２から出力された信号Ｓ１１０２のレベルを設定された大きさとなるように増幅し、信号Ｓ１１０５として検波回路１１０６に出力する。
【００５０】
また、中間周波増幅回路１１０５は、たとえば信号Ｓ１１０２の大きさを示す指標となる搬送波レベル検出信号Ｓａｇｃを制御回路１４に出力する。
たとえば信号Ｓａｇｃは、中間周波増幅回路１１０５が、信号Ｓ１１０２を設定された大きさとなるように増幅する際のＡＧＣ制御電圧に基づいて搬送波レベル検出信号Ｓａｇｃを生成する。つまり信号Ｓａｇｃは自動利得制御回路による増幅の度合いを示す。
【００５１】
検波回路１１０６は、中間周波増幅回路１１０５から出力された信号Ｓ１１０５を検波して、信号Ｓ１１０６として時報検出回路１１０７に出力する。
検波回路１１０６は、たとえば信号Ｓ１１０５をＡＭ検波やＦＭ検波を行い信号Ｓ１１０６として時報検出回路１１０７に出力する。たとえば検波回路１１０６のＡＭ検波は一般的に用いられる検波方式、たとえば２乗検波、包絡線検波等により検波を行う。
【００５２】
時報検出回路１１０７は、検波回路１１０６から出力された信号Ｓ１１０６を基に、時報信号を検出し、検出結果を示す信号Ｓ１１０７を制御回路１４に出力する。
また、時報検出回路１１０７は、たとえば時報信号のレベルの立ち上がりエッジを検出して、検出結果を信号Ｓ１１０７として制御回路１４に出力する。
【００５３】
図６は、図２に示した電波修正時計１の時報検出回路１１０７の一実施形態を示す機能ブロック図である。
時報検出回路１１０７は、たとえば図６に示すように、フィルタ１１０７１、および信号処理回路１１０７２を有する。
フィルタ１１０７１は、信号Ｓ１１０６から時報信号に対応する周波数の信号、たとえば８８０Ｈｚの信号を抽出して信号Ｓ１１０７１を信号処理回路１１０７２に出力する。
信号処理回路１１０７２は、信号Ｓ１１０７１を受けて所定の信号処理を行い、処理結果を示す信号Ｓ１１０７を制御回路１４に出力する。
詳細には、たとえば信号Ｓ１１０７１を受けて、信号レベルの立ち上がりエッジを検出して、検出結果を信号Ｓ１１０７として制御回路１４に出力する。
【００５４】
標準電波（長波）受信回路１１０８は、たとえば初期時にアンテナＡＮＴ２を介して標準時刻電波信号を受信し、信号Ｓ１１０８として制御回路１４に出力する。制御回路１４は、初期時には、標準電波（長波）受信回路１１０８から出力された標準時刻電波信号（時刻コードとも言う）を示す信号Ｓ１１０８に基づいて内部時計１４０１が計時する時刻情報を修正する。
【００５５】
詳細には標準電波（長波）受信回路１１０８は、たとえば不図示のＲＦアンプ、検波回路、波形整形回路を有し、増幅処理、検波処理等を行い、処理結果の標準時刻信号を信号Ｓ１１０８として出力する。
【００５６】
なお、日本の標準電波は独立行政法人情報通信研究機構（ＮＩＣＴ：National Institute of Information and Communications Technology）のもとで運用されており、周波数４０ｋＨｚの標準電波を送信する標準電波送信所および周波数６０ｋＨｚの標準電波を送信する標準電波送信所が設けられている。
標準時刻電波信号は、たとえば、少なくとも標準時刻の秒毎にパルスのレベルが切り換わるように変調されている。また、標準時刻電波信号は、標準時刻のうち分情報、時情報、日情報、うるう秒情報、またはサマータイム情報のいずれかに応じて規定された信号を基に変調されている。
【００５７】
たとえば電波受信系１１で受信される標準電波は、図７（ａ）に示すような形態で送られてくる。
【００５８】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００５９】
そして、受信状態が良好な場合には、電波受信系１１からは図７（ｂ）に示すように、標準電波信号に応じたパルス信号として信号Ｓ１１０８が、制御回路１４に出力される。
【００６０】
この信号Ｓ１１０８は、たとえば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００６１】
次に、長波標準電波の送信データについて説明する。
図８は、標準時刻電波信号の時刻コードの一例を示している。図８（ａ）は毎時１５，４５分以外のフォーマット、図８（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００６２】
スイッチ群１２は、たとえば操作者により操作される操作入力手段の一具体例である。
スイッチ群１２は、たとえば図１に示すように、標準電波強制受信スイッチ１２０１、および放送電波強制受信スイッチ１２０２を有する。
標準電波強制受信スイッチ１２０１は、たとえば、標準時刻電波信号を受信して時刻修正を行わせる際に操作され、その操作に応じて信号Ｓ１２０１を制御回路１４に出力する。制御回路１４は、標準電波強制受信スイッチ１２０１から信号Ｓ１２０１が入力されると、標準電波強制受信モードに設定して、標準電波受信回路１１０８に標準電波を受信させて、受信した標準電波信号に基づいて内部時計１４０１が計時する時刻情報を修正する。
【００６３】
放送電波強制受信スイッチ１２０２は、たとえば、時報信号を含む放送電波を受信して時刻修正を行わせる際に操作され、その操作に応じて信号Ｓ１２０２を制御回路１４に出力する。制御回路１４は、放送電波強制受信スイッチ１２０２から信号Ｓ１２０２が入力されると、放送電波強制受信モードに設定して、同調回路１１０１、周波数変換回路１１０２、局部発振回路１１０３、周波数制御回路１１０４、中間周波増幅回路１１０５、検波回路１１０６、時報検出回路１１０７などにより、時報信号を受信する処理を行い、受信した時報信号に基づいて、内部時計１４０１が計時する時刻情報を修正する。
【００６４】
発振回路１３は、水晶発振器ＣＲＹおよびキャパシタＣ２，Ｃ３により構成され、所定周波数の基本クロックを制御回路１４に供給する。
【００６５】
制御回路１４は、たとえば装置全体を統括的に制御する。
また、制御回路１４は、たとえば図１，２に示すように、内部時計１４０１、およびメモリ１４０２を有する。
内部時計１４０１は、たとえば年情報カウンタ、月情報カウンタ、日情報カウンタ、曜情報カウンタ、時情報を計時する時カウンタ、分情報を計時する分カウンタ、および秒情報を計時する秒カウンタなどを含む。
【００６６】
メモリ１４０２は、たとえば、制御回路１４のワークスペースとして用いられる。たとえば、メモリ１４０２はＲＡＭ（Random access memory）やＲＯＭ（Random access memory）等で構成される。
メモリ１４０２は、所定のプログラムを記憶する。制御回路１４はこのプログラムを実行する。
【００６７】
制御回路１４は、標準電波受信回路で受信した標準電波の周波数４０ｋＨｚまたは６０ｋＨｚから電波修正時計１が設置されている地域を、たとえば東京を含む東日本か、大阪を含む西日本かを特定し、放送電波受信部１１００において、特定した地域に近い地域の放送局からの放送電波から受信を行い、受信した放送電波または標準電波に基づいて内部時計が計時する時刻情報を修正する。
制御回路１４は、放送電波受信部１１００にて放送電波を受信するに際し、特定した地域の近い地域の放送局の放送電波から順番にスキャンし、最先に受信した放送電波に基づいて内部時計が計時する時刻情報を修正する。
制御回路１４は、標準電波受信部で標準電波を良好に受信できない場合、放送電波受信部１１００の放送電波の受信に切り替え、あらかじめ設定した地域の放送局からの放送電波から順番にスキャンし、最先に受信した放送電波に基づいて内部時計が計時する時刻情報を修正する。
【００６８】
本実施形態においては、たとえばラジオ放送の時報情報は、ＮＨＫ第１放送、第２放送の情報を基本的に使用する。
ＡＭラジオ時報電波受信は、全国のＮＨＫ第１放送と第２放送の周波数を全てカバーするために、４９３ｋＨｚ〜１８０７ｋＨｚ間での周波数を８つのブロックにわけ、１時間ごとの毎正時に低い周波数から順次ブロックの周波数帯で時報電波を受信する。
ブロック毎の周波数を以下に示す。
【００６９】
基本ブロック列
第１ブロック：４９３ｋＨｚ〜５７３ｋＨｚ（札幌５６７ｋＨｚ）、
第２ブロック：５６６ｋＨｚ〜６６２ｋＨｚ（東京５９４ｋＨｚ、福岡６１２ｋＨｚ）、
第３ブロック：６５３ｋＨｚ〜７８５ｋＨｚ（大阪６６６ｋＨｚ、名古屋７２９ｋＨｚ）、
第４ブロック：７７３ｋＨｚ〜９５１ｋＨｚ（仙台８９１ｋＨｚ）、
第５ブロック：９３４ｋＨｚ〜１１８７ｋＨｚ
第６ブロック：１１６４ｋＨｚ〜１４３３ｋＨｚ
第７ブロック：１４１３ｋＨｚ〜１６５４ｋＨｚ
第８ブロック：１６１８ｋＨｚ〜１８０７ｋＨｚ
【００７０】
ＮＨＫ第１放送電波の周波数は、東京で５９４ｋＨｚ、大阪で６６６ｋＨｚであり、ＮＨＫ第２放送電波の周波数は、東京で６９３ｋＨｚ、大阪で８２８ｋＨｚである。
したがって、たとえば、東京でＮＨＫ第１放送を受信するのは、５９４ｋＨｚなので２つ目の第２ブロックとなる。
大阪はＮＨＫ第１放送を受信するのは６６６ｋＨｚなので３つ目の第３ブロックとなる。
【００７１】
制御回路１４は、標準電波を受信して、その周波数が４０ｋＨｚであると判別すると、東京を含む東日本であるとして、上記した基本ブロック列の第１ブロックからではなく、たとえば東京のＮＨＫ第１放送の電波を第１番に受信すると、以下のように順番を変更して第１のスキャンを行う。この際の第２番目以降の順番については他の順番を選択することも可能である。
【００７２】
第１のスキャン
第２ブロック→第３ブロック→第４ブロック→第１ブロック→第５ブロック→第６ブロック→第７ブロック→第８ブロック
【００７３】
制御回路１４は、標準電波を受信して、その周波数が６０ｋＨｚであると判別すると、大阪を含む西日本であるとして、上記した基本ブロック列の第１ブロックからではなく、たとえば大阪のＮＨＫ第１放送の電波を第１番に受信すると、以下のように順番を変更して第２のスキャンを行う。この際の第２番目以降の順番については他の順番を選択することも可能である。
【００７４】
第２のスキャン
第３ブロック→第２ブロック→第４ブロック→第１ブロック→第５ブロック→第６ブロック→第７ブロック→第８ブロック
【００７５】
制御回路１４は、標準電波を受信制御を行った場合に、周波数４０ｋＨｚと６０ｋＨｚの両標準電波を受信できないと判別すると、上記した基本ブロック列の第１ブロックからではなく、たとえば東京または大阪のＮＨＫ第１放送の電波を第１番に受信すると、以下のように順番を変更して第３のスキャンを行う。この際の第２番目以降の順番については他の順番を選択することも可能である。
【００７６】
第３のスキャン
第２ブロック→第３ブロック→第４ブロック→第１ブロック→第５ブロック→第６ブロック→第７ブロック→第８ブロック、または、
第３ブロック→第２ブロック→第４ブロック→第１ブロック→第５ブロック→第６ブロック→第７ブロック→第８ブロック
【００７７】
このように、標準電波を受信できない場合にも東日本あるいは西日本として地域を特定して上記順番で第１または第２のスキャンと同様の第３のスキャンを行う。
本実施形態においては、第３番目に仙台のＮＨＫ第１放送電波のスキャンを行い、第４番目に札幌のＮＨＫ第１放送電波のスキャンを行うように配慮してある。
このようにすることにより、東京や大阪と異なる都市部であっても可能な限り短時間で放送電波を受信することが可能となる。
【００７８】
制御回路１４は、内部時計１４０１の時刻修正を行った場合に、表示部２０やディスプレイ３０による表示時刻の時刻修正を行う。
【００７９】
ところで、本実施形態では上述したように、放送電波受信部１１００が時刻情報として時報信号ｄを受信する。時報信号ｄは、毎正時（００分００秒）に同期して受信されるために、少なくとも秒情報、および分情報を含む。
詳細には、内部時計１４０１により計時される時刻情報が略正確な場合、たとえば内部時計１４０１により計時される時刻情報と標準時刻との誤差が数分程度の場合には、その内部時計１４０１が計時する時刻情報に基づいて、秒情報、分情報の他に、時情報を確定することができる。
また、本実施形態に係る標準電波受信回路１１０８により受信される時刻情報は、上述したように秒情報、分情報、時情報、日情報、うるう秒情報、サマータイム情報を含む。
制御回路１４は、標準電波受信回路１１０８により受信した時刻情報、および放送電波受信部１１００により受信した時刻情報に基づいて、秒情報、分情報、時情報、および日情報を上述したように補完により取得し、取得した情報に基づいて内部時計１４０１が計時する時刻情報の修正を行う。
【００８０】
次に、制御回路１４による時報信号ｄに関する処理を説明する。
制御回路１４は、たとえば、放送電波に時報信号ｄが含まれる規定時間内に、放送電波受信手段の一具体例に相当する同調回路１１０１や周波数変換回路１１０２の受信周波数を予め規定された受信周波数範囲内で制御し、時報検出回路１１０７が時報信号ｄを特定したと判別した場合に、時報信号ｄを含む放送電波の受信周波数情報をメモリ１４０２に記憶し、メモリ１４０２が記憶する受信周波数情報に対応する受信周波数で受信する放送電波に含まれる時報信号ｄに基づいて、内部時計１４０１が計時する時刻情報を修正する。
【００８１】
図９は、図１に示した電波修正時計１の制御回路１４による時報信号ｄを特定する動作を説明するための図である。
制御回路１４は、放送電波に時報信号ｄが含まれる規定時間内に、同調回路１１０１や周波数変換回路１１０２の受信周波数を予め規定された受信周波数範囲内で制御し、時報検出回路１１０７が抽出した信号のレベルＶが閾値Ｖｔｈ以上であると判別した場合に受信周波数情報をメモリ１４０２に記憶し、設定時刻に、メモリ１４０２が記憶する受信周波数情報に対応する受信周波数で同調回路１１０１や周波数変換回路１１０２が受信する時報信号ｄに基づいて、内部時計１４０１が計時する時刻情報を修正する。
【００８２】
詳細には制御回路１４は、たとえば図９に示すように、時報検出回路１１０７が抽出した信号のレベルＶ１，Ｖ２が閾値Ｖｔｈ以上である場合に、その信号を時報信号ｄであると特定し、信号レベルＶ３が閾値Ｖｔｈより小さい場合にその信号は時報信号ｄでないと判別する。
【００８３】
時報信号ｄを特定する処理としては、上述した形態に限られるものではない。たとえば、信号レベルのピーク値と、通常時の信号レベルＶ０との比が、予め規定した値よりも大きい場合にそのピークを時報信号ｄと特定してもよい。
【００８４】
また、制御回路１４は、複数の異なる設定時刻に、同調回路１１０１や周波数変換回路１１０２を同一の受信周波数に設定した状態で、時報検出回路１１０７が閾値以上のレベルの信号を設定回抽出した場合に、受信周波数に対応する放送電波に含まれる時報信号を特定し、当該時報信号に基づいて内部時計１４０１が計時する時刻情報を修正する。
【００８５】
また、制御回路１４は、規定時間内に、同調回路１１０１や周波数変換回路１１０２の受信周波数を第１の受信周波数範囲内で制御し、時報検出回路１１０７が抽出した信号のレベルが閾値より小さいと判別した場合に、同調回路１１０１や周波数変換回路１１０２の受信周波数を、第１の受信周波数範囲と異なる第２の受信周波数範囲内で制御して、放送電波に含まれる時報信号を特定する処理を行う。
たとえば図９に示す受信周波数範囲Ｒ１にてサーチを行った結果、時報信号ｄを特定することができない場合に、その他の受信周波数範囲たとえば受信周波数範囲Ｒ２〜Ｒ８のいずれかの範囲内で、時報信号ｄを特定する処理を行う。
【００８６】
また、制御回路１４は、異なる設定時刻に、放送電波受信手段を同一の受信周波数に設定した状態で、時報検出回路１１０７が閾値以上のレベルの時報信号を設定回数抽出できない場合に、メモリ１４０２に記憶されている受信周波数情報を破棄して、新たに時報信号を含む放送電波の受信周波数を特定する処理を行う。
詳細には、たとえば１回目のスキャン時に、時報検出回路１１０７にてノイズの影響により信号レベルが閾値以上となった場合であっても、２回目以降、閾値以上の信号レベルを抽出できない場合には、その１回目の信号がノイズの影響による誤検出であると判別して、その受信周波数情報を破棄し、新たに時報信号ｄを特定する処理を行う。
【００８７】
また、制御回路１４は、自動利得制御手段に相当する中間周波増幅回路１１０５による増幅の度合いを示す信号Ｓａｇｃに基づいて、同調回路１１０１や周波数変換回路１１０２により受信可能な時報信号を含む放送電波を特定し、設定時刻に、特定した放送電波に対応する受信周波数に設定して、同調回路１１０１や周波数変換回路１１０２により受信した放送電波に含まれる時報信号を受信する。
詳細には、予めＡＧＣ機能による信号Ｓａｇｃに基づいて放送電波を特定して、特定した放送電波に相当する受信周波数情報をメモリ１４０２に記憶し、設定時刻になると、メモリ１４０２に記憶する受信周波数情報に対応する受信周波数に同調回路１１０１や周波数変換回路１１０２を設定して、放送電波に含まれる時報信号を受信する。
【００８８】
また、制御回路１４は、初期時に標準電波受信回路１１０８により受信した標準時刻電波信号に基づいて内部時計１４０１による時刻情報を修正し、通常時に同調回路１１０１や周波数変換回路１１０２，…，時報検出回路１１０７により受信した時報信号に基づいて内部時計１４０１の時刻情報を修正する。
詳細には、制御回路１４は、初期時に標準電波（長波）受信回路１１０８が受信した標準時刻電波信号に基づいて、内部時計１４０１が計時する時間情報である年情報、月情報、日情報、曜日情報、時情報、分情報、および秒情報を修正し、内部時計１４０１が計時する時刻情報を基に、表示時刻の修正を行う。
【００８９】
また、制御回路１４は、標準電波強制受信モード時に、標準電波受信回路１１０８により受信した標準時刻電波信号から標準時刻信号を有効に抽出できた場合に、当該標準時刻信号に基づいて内部時計１４０１の時刻情報を修正し、標準電波受信回路１１０８により受信した標準時刻電波信号から標準時刻信号を有効に抽出できない場合に、同調回路１１０１や周波数変換回路１１０２，…，時報検出回路１１０７により受信した時報信号に基づいて内部時計１４０１が計時する時刻情報を修正する。
【００９０】
また、制御回路１４は、時刻修正時には、内部時計１４０１による時刻情報を基に表示部２０やディスプレイ３０表示時刻を修正する。
【００９１】
制御回路１４は、ＡＭラジオ放送電波を受信する際に、受信タイミング制御を行う。
詳細には、制御回路１４は、受信タイミング制御として、たとえば内部時計１４０１が計時する時刻情報を基に毎正時を含む所定時間、たとえば毎正時の数１０秒前からＡＭラジオ放送電波を受信させる。
一般的に、水晶発振子による発振信号による内部時計１４０１の精度は、月差数１０秒の精度なので、上述したようにラジオ放送電波の受信を開始すれば確実に時報信号を受信することができる。
【００９２】
以下、たとえば表示部２０として、駆動モータ１２１，１３１と、駆動モータにより駆動される、複数の歯車や指針が取り付けられる指針車などにより構成される輪列とにより構成される、いわゆるアナログ式時計を採用した場合の制御回路１４の機能を簡単に説明する。
【００９３】
たとえば時分車や秒針車などの指針車には透光部と遮光部とが形成されている。また、発光素子１４２と、光検出センサ部１４０との間に、指針車が位置するように配置されている。
制御回路１４は、発光素子１４２から出力された光が、時分針車に設けられた遮光部および透光部により、受光素子１４４に受光される、光のオンオフパターンに基づいて、表示時刻の修正を行う。
【００９４】
また、制御回路１４は、所定の時間、たとえば本実施形態では８秒間の標準時刻電波信号のサンプリング（たとえば３２Ｈｚ）を行い、そのサンプリングの結果に基づいて受信状態を判定する。
【００９５】
詳細には、制御回路１４は、たとえば電波受信系１１から入力される信号Ｓ１１０８のサンプリング（たとえば３２Ｈｚ）を行い、エッジｅｄを検出し、そのエッジｅｄの有無や数に基づいて受信状態を判定する。
【００９６】
制御回路１４は、その設定された受信周波数で受信された標準電波時刻信号に基づいて、時刻化が可能である場合には、発振回路１３による基本クロックに基づいて内部時計１４０１の各種カウンタのカウント制御を行う。
【００９７】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００９８】
制御回路１４は、電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００９９】
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からローレベルのドライブ信号ＤＲ２が出力されたとき発光するようにドライブ回路１８に接続されている。
【０１００】
初期時刻情報入力部２１は、たとえばキーボードや操作スイッチなどの操作入力装置などにより構成され、初期時に内部時計１４０１が計時する時刻情報を入力する。
【０１０１】
電源制御回路２２は、たとえば内部電池２３や外部電池２４により供給される電源電圧を所定の電圧に変換して、電波修正時計１の各構成要素に供給する。
また、電源制御回路２２は、外部電池２４が電波修正時計１に装着されて電力供給を行っていることを示す信号または外部電池２４が装着されていない状態を示す信号を制御回路１４に出力する。
【０１０２】
内部電池２３は、電波修正時計１に常時制御回路１４やメモリ１４０２などの構成要素に電力供給を行う。
外部電池２４は、たとえば出荷時には電波修正時計１の電池ケース１４１に装着されておらず、商品購入時にユーザにより電波修正時計１の電池ケース１４１に装着され、制御回路１４やメモリ１４０２などの構成要素に電力供給を行う。
【０１０３】
光検出センサ部１４０は、たとえば発光ダイオードからなる発光素子１４２と、フォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
【０１０４】
図１０は、図１に示した電波修正時計の全体の動作を説明するためのフローチャートである。図１０を参照しながら、電波修正時計１の地域を特定して放送電波を受信する動作を、制御回路１４の動作を中心に説明する。
【０１０５】
ステップＳＴ１において、初期設定処理やリセット処理を行う。
詳細には、たとえば制御回路１４は、初期時に各構成要素、たとえばメモリ１４０２内の変数値などを初期状態に設定する。
また、制御回路１４は、初期時刻情報入力部２１により入力された初期時刻情報を示す信号Ｓ２１に基づいて、内部時計１４０１が計時する時刻情報を設定する。
【０１０６】
ステップＳＴ２において、制御回路１４は、受信手段を選択する。
たとえば制御回路１４は、内部時計１４０１が計時する時刻情報や標準電波受信回路１１０８の受信状態に基づいて、放送電波受信部１１００または標準電波受信回路１１０８を選択する。
初期時には、標準電波受信回路１１０８を選択する。
この際、制御回路１４は、たとえばスイッチ群１２の標準電波強制受信スイッチ１２０１や放送電波強制受信スイッチ１２０２から、それらのスイッチが操作されたことを示す信号Ｓ１２０１，Ｓ１２０２が入力した場合には、その信号Ｓ１２０１，１２０２に基づいて受信手段を選択してもよい。
【０１０７】
ステップＳＴ３において、制御回路１４は、標準電波を受信できたか否かの判別を行う。
ここで受信できたと判別した場合には、ステップＳＴ４において受信した標準電波の周波数が４０ｋＨｚであるか６０ｋＨｚであるかの判別を行う。
４０ｋＨｚであると判別した場合には、東京を含む東日本であるとして地域を特定し、上記した基本ブロック列の第１ブロックからではなく、たとえば東京のＮＨＫ第１放送の電波を第１番に受信すると、以下のように順番を変更して第１のスキャンを行う（ステップＳＴ５，ＳＴ６）。
【０１０８】
第１のスキャン
第２ブロック→第３ブロック→第４ブロック→第１ブロック→第５ブロック→第６ブロック→第７ブロック→第８ブロック
【０１０９】
そして、ステップＳＴ７において、最先に受信した放送電波の時報情報に基づいて内部時計１４０１の計時時刻を修正する。
【０１１０】
ステップＳＴ４で６０ｋＨｚであると判別した場合には、大阪を含む西日本であるとして地域を特定し、上記した基本ブロック列の第１ブロックからではなく、たとえば大阪のＮＨＫ第１放送の電波を第１番に受信すると、以下のように順番を変更して第２のスキャンを行う（ステップＳＴ８，ＳＴ９）。
【０１１１】
第２のスキャン
第３ブロック→第２ブロック→第４ブロック→第１ブロック→第５ブロック→第６ブロック→第７ブロック→第８ブロック
【０１１２】
そして、ステップＳＴ７において、最先に受信した放送電波の時報情報に基づいて内部時計１４０１の計時時刻を修正する。
【０１１３】
制御回路１４は、ステップＳＴ３で標準電波を受信制御を行った場合に、周波数４０ｋＨｚと６０ｋＨｚの両標準電波を受信できないと判別すると、上記した基本ブロック列の第１ブロックからではなく、たとえば東京のＮＨＫ第１放送の電波を第１番に受信すると、以下のように順番を変更して第３のスキャンを行う（ステップＳＴ１０）。
【０１１４】
第３のスキャン
第２ブロック→第３ブロック→第４ブロック→第１ブロック→第５ブロック→第６ブロック→第７ブロック→第８ブロック、または、第３ブロック→第２ブロック→第４ブロック→第１ブロック→第５ブロック→第６ブロック→第７ブロック→第８ブロック
【０１１５】
そして、ステップＳＴ７において、最先に受信した放送電波の時報情報に基づいて内部時計１４０１の計時時刻を修正する。
【０１１６】
このように、標準電波を受信できない場合にも東日本あるいは西日本として地域を特定して上記順番で第１または第２のスキャンと同様の第３のスキャンを行う。
本実施形態においては、第３番目に仙台のＮＨＫ第１放送電波のスキャンを行い、第４番目に札幌のＮＨＫ第１放送電波のスキャンを行うように配慮してある。
このようにすることにより、東京や大阪と異なる都市部であっても可能な限り短時間で放送電波を受信することが可能となる。
【０１１７】
以上、説明したように、内部時計１４０１と、第１の時刻情報を含む標準電波を受信する標準電波受信回路１１０８と、第２の時刻情報を含む放送電波を受信する放送電波受信部１１００と、標準電波受信回路１１０８で受信した標準電波の周波数４０ｋＨｚまたは６０ｋＨｚから電波修正時計１が設置されている地域を、たとえば東京を含む東日本か、大阪を含む西日本かを特定し、放送電波受信部１１００において、特定した地域に近い地域の放送局からの放送電波から受信を行い、受信した放送電波または標準電波に基づいて内部時計が計時する時刻情報を修正する制御部１４とを有することから、放送情報電波の受信時間を大幅に短縮することが可能で、高い信頼性で短時間に時刻修正を行うことができる。
【０１１８】
また、制御回路１４は、標準電波受信回路で標準電波を良好に受信できない場合、放送電波受信部１１００の放送電波の受信に切り替え、あらかじめ設定した地域の放送局からの放送電波から順番にスキャンし、最先に受信した放送電波に基づいて内部時計が計時する時刻情報を修正することから、東京や大阪と異なる都市部であっても可能な限り短時間で放送電波を受信することが可能となる。
【０１１９】
なお、本発明は本実施形態に限られるものではなく、任意好適な種々の変更が可能である。
【０１２０】
たとえば、本実施形態では標準電波や放送電波に含まれる時刻情報に基づいて、時刻修正を行ったがこの形態に限られるものではない。
また、時報信号を含む放送電波を受信して時刻修正を行う設定時刻は、上述した形態に限られるものではない。
【図面の簡単な説明】
【０１２１】
【図１】本発明の一実施形態に係る自動修正時計を採用した電波修正時計の機能ブロック図である。
【図２】図１に示した電波修正時計の詳細な機能ブロック図である。
【図３】図２に示した電波修正時計の電波受信系の一具体例を示す機能ブロック図である。
【図４】一般的なＡＭラジオ放送電波に毎正時付近に含まれる時報信号の一具体例を示す図である。
【図５】図１に示した電波修正時計１が受信する時報信号を説明するための図である。
【図６】図２に示した電波修正時計１の時報検出回路１１０７の一実施形態を示す機能ブロック図である。
【図７】本発明に係る制御回路における電波受信状態を説明するための図である。
【図８】標準時刻電波信号の時刻コードの一例を示す図である。
【図９】図１に示した電波修正時計の制御回路による時報信号ｄを特定する動作を説明するための図である。
【図１０】図１に示した電波修正時計の全体の動作を説明するためのフローチャートである。
【符号の説明】
【０１２２】
１…電波修正時計、１１…電波受信系、１２…スイッチ群、１３…発振回路、１４…制御回路、１５…ドライブ回路、１６…発光素子、１７…バッファ回路、１８…ドライブ回路、２０…表示部、１２１…秒針用モータ（第一駆動源）、１３１…時分針用モータ（第２駆動源）、１４０…光検出センサ、１４２…発光素子、１４４…受光素子、１１００…放送電波受信部、１１０１…同調回路、１１０２…周波数変換回路、１１０３…局部発振回路、１１０４…周波数制御回路、１１０５…中間周波増幅回路、１１０６…検波回路、１１０７…時報検出回路、１１０８…標準電波（長波）受信回路、１４０１…内部時計、１４０２…メモリ。
【図１】
0004767067.tif 000003
【図２】
0004767067.tif 000004
【図３】
0004767067.tif 000005
【図４】
0004767067.tif 000006
【図５】
0004767067.tif 000007
【図６】
0004767067.tif 000008
【図７】
0004767067.tif 000009
【図８】
0004767067.tif 000010
【図９】
0004767067.tif 000011
【図１０】
0004767067.tif 000012